(57)【要約】  ＡＭラジオ出力音声に混入するノイズを低減することができるＡＭラジオ付き携帯機器を提供することを目的とする。携帯電話１００は、表示部３２、３４に動作内容を表示しながら所定の処理を行う電話処理部１０と、ＡＭラジオ放送を受信して復調された音声信号を出力するＡＭラジオチューナ部２０とが一体になったＡＭラジオ付き携帯機器であって、ＡＭラジオチューナ部２０によるＡＭラジオ放送の受信開始指示を行う操作部３０と、操作部３０を用いた受信開始指示が行われたときに表示部３２、３４の表示状態を変更する制御部４０とを備えている。【特許請求の範囲】
【請求項１】
表示部に動作内容を表示しながら所定の処理を行う処理部と、ＡＭラジオ放送を受信して復調された音声信号を出力するＡＭラジオチューナ部とが一体になったＡＭラジオ付き携帯機器であって、
前記ＡＭラジオチューナ部によるＡＭラジオ放送の受信開始指示を行う操作手段と、
前記操作手段を用いた前記受信開始指示が行われたときに、前記表示部の表示状態を変更する表示状態制御手段と、
を備えるＡＭラジオ付き携帯機器。
【請求項２】
請求項１において、
前記表示部は、カラー液晶表示装置であるＡＭラジオ付き携帯機器。
【請求項３】
請求項１において、
前記処理部によって行われる処理は、移動体電話としての通話処理であるＡＭラジオ付き携帯機器。
【請求項４】
請求項１において、
表示動作中の前記表示部は、前記ＡＭラジオチューナ部に対してノイズ源となっており、
前記表示状態制御手段は、前記表示部から前記ＡＭラジオチューナ部に対して混入するノイズを低減するように前記表示部の表示状態を変更するＡＭラジオ付き携帯機器。
【請求項５】
請求項１において、
前記表示部は、選択的に表示動作の停止が可能な複数の分割領域を有しており、
前記表示状態制御手段は、前記受信開始指示が行われたときに、前記複数の分割領域の一部の表示動作を停止させるＡＭラジオ付き携帯機器。
【請求項６】
請求項５において、
前記ＡＭラジオチューナ部によって受信中の放送内容に関する情報を、前記処理部の動作内容に代えて、あるいはこの動作内容とともに前記表示部に表示する放送内容表示制御手段と、
表示動作が停止していない残りの前記分割領域に、前記放送内容に関する情報が表示されるＡＭラジオ付き携帯機器。
【請求項７】
請求項５において、
前記ＡＭラジオチューナ部は磁性芯にコイルが巻回されたバーアンテナを備えており、
一方向に長い立体形状の筐体において、長手方向に沿った中央で区分された一方の空間に、表示動作が停止していない残りの前記分割領域が配置され、他方の空間に前記バーアンテナが離れて配置されているＡＭラジオ付き携帯機器。
【請求項８】
請求項５において、
前記ＡＭラジオチューナ部は磁性芯にコイルが巻回されたバーアンテナを備えており、
一方向に長い立体形状の筐体において、長手方向に沿った中央で区分された一方の空間に、表示動作が停止していない残りの前記分割領域の半分以上が配置され、他方の空間に前記バーアンテナが離れて配置されているＡＭラジオ付き携帯機器。
【請求項９】
請求項５において、
前記ＡＭラジオチューナ部は磁性芯にコイルが巻回されたバーアンテナを備えており、
一方向に長い立体形状の筐体において、表示動作が停止していない残りの前記分割領域から最も離れた前記筐体の端部に沿って前記バーアンテナが配置されているＡＭラジオ付き携帯機器。
【請求項１０】
請求項１において、
前記表示部は、設置場所が異なる複数の表示領域を有しており、
前記表示状態制御手段は、前記受信開始指示が行われたときに、前記複数の表示領域の一部の表示動作を停止させるＡＭラジオ付き携帯機器。
【請求項１１】
請求項１０において、
前記表示状態制御手段は、最も面積が大きい前記表示領域の表示動作を停止させるＡＭラジオ付き携帯機器。
【請求項１２】
請求項１０において、
前記表示状態制御手段は、最も面積が小さい前記表示領域を除く他の前記表示領域の動作を停止させるＡＭラジオ付き携帯機器。
【請求項１３】
請求項１０において、
前記ＡＭラジオチューナ部は磁性芯にコイルが巻回されたバーアンテナを備えており、
一方向に長い立体形状の筐体において、長手方向に沿った中央で区分された一方の空間に、表示動作が停止していない残りの前記表示領域が配置され、他方の空間に前記バーアンテナが離れて配置されているＡＭラジオ付き携帯機器。
【請求項１４】
請求項１０において、
前記ＡＭラジオチューナ部は磁性芯にコイルが巻回されたバーアンテナを備えており、
一方向に長い立体形状の筐体において、長手方向に沿った中央で区分された一方の空間に、表示動作が停止していない残りの前記表示領域の半分以上が配置され、他方の空間に前記バーアンテナが離れて配置されているＡＭラジオ付き携帯機器。
【請求項１５】
請求項１０において、
前記ＡＭラジオチューナ部は磁性芯にコイルが巻回されたバーアンテナを備えており、
一方向に長い立体形状の筐体において、表示動作が停止していない残りの前記表示領域から最も離れた前記筐体の端部に沿って前記バーアンテナが配置されているＡＭラジオ付き携帯機器。
【請求項１６】
請求項１において、
前記表示状態制御手段は、前記受信開始指示が行われたときに、前記表示部の表示動作を停止させるＡＭラジオ付き携帯機器。
【請求項１７】
請求項１６において、
前記操作手段を用いて、前記ＡＭラジオチューナ部による受信対象となる放送波の受信周波数を切り替える選局指示が行われ、
前記表示状態制御手段は、前記選局指示が行われたときに一時的に前記表示部の表示動作の停止状態を解除するＡＭラジオ付き携帯機器。
【請求項１８】
請求項１７において、
前記表示部の表示動作の停止状態の解除は、前記表示部の全体の表示領域の中の一部を対象に行われるＡＭラジオ付き携帯機器。
【請求項１９】
請求項１７において、
前記ＡＭラジオチューナ部から出力される音声信号に対応する音声をスピーカあるいはイヤホンなどから出力する音声出力手段とをさらに備え、
前記音声出力手段は、前記選局指示が行われて前記表示部の表示動作の停止状態が解除されたときに、音声の出力を中断するミュート処理を行うＡＭラジオ付き携帯機器。
【発明の詳細な説明】
【技術分野】
【０００１】
本発明は、ＡＭラジオ機能が付加された携帯電話等の携帯機器に関する。
【背景技術】
【０００２】
最近では、本来の電話機能の外に各種の機能が追加搭載された携帯電話が一般化している。例えば、ＡＭラジオ放送チューナ機能、ＦＭラジオ放送チューナ機能、テレビ放送チューナ機能等が備わった携帯電話が知られている（例えば、特許文献１参照。）。この携帯電話では、利用者が表示部を見ながら操作部を操作することにより、再生を希望するＡＭラジオ放送チューナ機能等を選択することができる。
【特許文献１】特開２００２−１０１１６４号公報（第３−５頁、図１−６）
【発明の開示】
【発明が解決しようとする課題】
【０００３】
ところで、上述した特許文献１に開示された表示部付きの携帯電話にＡＭラジオ放送チューナ機能を備えた場合に、ＡＭラジオ放送の出力音声に表示部によって発生するノイズが混入するという問題があった。特に、最近の携帯電話は、カメラ機能やメール送信機能が充実しており、それらの内容を詳細かつ鮮明に表示するために、解像度が高いＴＦＴ方式のカラー液晶表示装置が用いられることが多い。また、最近の携帯電話は非常に小型化が進んでおり、一つの筐体内にＡＭラジオ放送チューナ機能を備えた場合には、必然的にＡＭラジオアンテナとしてのバーアンテナと液晶表示装置とが接近して配置されることになり、液晶表示装置の駆動時に発生するノイズのＡＭラジオ放送の出力音声への混入がさけられない。【０００４】
本発明は、このような点に鑑みて創作されたものであり、その目的は、ＡＭラジオ出力音声に混入するノイズを低減することができるＡＭラジオ付き携帯機器を提供することにある。
【課題を解決するための手段】
【０００５】
上述した課題を解決するために、本発明のＡＭラジオ付き携帯機器は、表示部に動作内容を表示しながら所定の処理を行う処理部と、ＡＭラジオ放送を受信して復調された音声信号を出力するＡＭラジオチューナ部とが一体になっており、ＡＭラジオチューナ部によるＡＭラジオ放送の受信開始指示を行う操作手段と、操作手段を用いた受信開始指示が行われたときに、表示部の表示状態を変更する表示状態制御手段とを備えている。特に、表示動作中の表示部は、ＡＭラジオチューナ部に対してノイズ源となっており、表示状態制御手段は、表示部からＡＭラジオチューナ部に対して混入するノイズを低減するように表示部の表示状態を変更する。このように、ＡＭラジオ放送を受信する場合に表示部の表示状態が変更されるため、表示部がノイズ源となって出力音声に混入するノイズを低減することが可能になる。【０００６】
また、上述した表示部は、カラー液晶表示装置であることが望ましい。最近の携帯機器には、表示の鮮明さや応答速度の向上等を考慮してＴＦＴタイプのアクティブマトリクス駆動のカラー液晶表示装置が使用されることが多いが、このカラー液晶表示装置は白黒表示を行うセグメント電極駆動の液晶表示装置に比べて、ＡＭラジオチューナ部に対して大きなノイズ源となることが知られている。このような表示部を用いた場合であって表示状態を変更することにより、ＡＭラジオ使用時における出力音声に含まれるノイズを低減することが可能になる。【０００７】
また、上述した処理部によって行われる処理は、移動体電話としての通話処理であることが望ましい。最近の携帯電話は多機能化にともなって様々な機能が追加されているが、追加機能の一つにＡＭラジオ受信機能を加えた場合であってもその出力音声に含まれるノイズを低減することができる。特に、最近は表示部の大画面化が進んでいるため、表示部の動作が原因となるノイズの発生が避けられないが、ＡＭラジオ使用時に表示部の表示状態を変更することにより、このノイズを低減することが可能になる。【０００８】
また、上述した表示部は、選択的に表示動作の停止が可能な複数の分割領域を有しており、表示状態制御手段は、受信開始指示が行われたときに、複数の分割領域の一部の表示動作を停止させることが望ましい。これにより、ノイズ源となる表示部の面積を小さくすることができるため、ＡＭラジオ出力音声に含まれるノイズの量を低減することが可能になる。【０００９】
また、上述したＡＭラジオチューナ部によって受信中の放送内容に関する情報を、処理部の動作内容に代えて、あるいはこの動作内容とともに表示部に表示する放送内容表示制御手段と、表示動作が停止していない残りの分割領域に、放送内容に関する情報が表示されることが望ましい。これにより、出力音声に含まれるノイズを低減するとともに、ＡＭラジオ使用時の操作性を向上させることができる。【００１０】
また、上述したＡＭラジオチューナ部は磁性芯にコイルが巻回されたバーアンテナを備えており、一方向に長い立体形状の筐体において、長手方向に沿った中央で区分された一方の空間に、表示動作が停止していない残りの分割領域が配置され、他方の空間にバーアンテナが離れて配置されていることが望ましい。あるいは、上述したＡＭラジオチューナ部は磁性芯にコイルが巻回されたバーアンテナを備えており、一方向に長い立体形状の筐体において、長手方向に沿った中央で区分された一方の空間に、表示動作が停止していない残りの分割領域の半分以上が配置され、他方の空間にバーアンテナが離れて配置されていることが望ましい。あるいは、上述したＡＭラジオチューナ部は磁性芯にコイルが巻回されたバーアンテナを備えており、一方向に長い立体形状の筐体において、表示動作が停止していない残りの分割領域から最も離れた筐体の端部に沿ってバーアンテナが配置されていることが望ましい。これにより、ＡＭラジオ放送受信時にバーアンテナを介して混入するノイズを低減することができる。【００１１】
また、上述した表示部は、設置場所が異なる複数の表示領域を有しており、表示状態制御手段は、受信開始指示が行われたときに、複数の表示領域の一部の表示動作を停止させることが望ましい。これにより、ノイズ源となる表示部の面積を小さくすることができるため、ＡＭラジオ出力音声に含まれるノイズの量を低減することが可能になる。【００１２】
また、上述した表示状態制御手段は、最も面積が大きい表示領域の表示動作を停止させることが望ましい。これにより、最も大きなノイズ源をなくすことができるため、効率よくノイズを低減することができる。【００１３】
また、上述した表示状態制御手段は、最も面積が小さい表示領域を除く他の表示領域の動作を停止させることが望ましい。これにより、多くの表示領域がある場合に、ノイズを最小限に抑えることができる。【００１４】
また、上述したＡＭラジオチューナ部は磁性芯にコイルが巻回されたバーアンテナを備えており、一方向に長い立体形状の筐体において、長手方向に沿った中央で区分された一方の空間に、表示動作が停止していない残りの表示領域が配置され、他方の空間にバーアンテナが離れて配置されていることが望ましい。あるいは、ＡＭラジオチューナ部は磁性芯にコイルが巻回されたバーアンテナを備えており、一方向に長い立体形状の筐体において、長手方向に沿った中央で区分された一方の空間に、表示動作が停止していない残りの表示領域の半分以上が配置され、他方の空間にバーアンテナが離れて配置されていることが望ましい。あるいは、ＡＭラジオチューナ部は磁性芯にコイルが巻回されたバーアンテナを備えており、一方向に長い立体形状の筐体において、表示動作が停止していない残りの表示領域から最も離れた筐体の端部に沿ってバーアンテナが配置されていることが望ましい。これにより、ＡＭラジオ放送受信時にバーアンテナを介して混入するノイズを低減することができる。【００１５】
また、上述した表示状態制御手段は、受信開始指示が行われたときに、表示部の表示動作を停止させることが望ましい。これにより、ノイズ源としての表示部の影響をなくすことができるため、表示部に起因するノイズの発生を完全になくすことができる。【００１６】
また、上述した操作手段を用いて、ＡＭラジオチューナ部による受信対象となる放送波の受信周波数を切り替える選局指示が行われ、表示状態制御手段は、選局指示が行われたときに一時的に表示部の表示動作の停止状態を解除することが望ましい。選局時に必要最小限の表示のみを行うことで、操作性の向上とノイズ低減の効果を両立させることができる。【００１７】
また、上述した表示部の表示動作の停止状態の解除は、表示部の全体の表示領域の中の一部を対象に行われることが望ましい。これにより、選局時に一時的に出力音声に含まれるノイズを低減することができる。【００１８】
また、上述したＡＭラジオチューナ部から出力される音声信号に対応する音声をスピーカあるいはイヤホンなどから出力する音声出力手段とをさらに備え、音声出力手段は、選局指示が行われて表示部の表示動作の停止状態が解除されたときに、音声の出力を中断するミュート処理を行うことが望ましい。これにより、選局時にノイズが混入して耳障りな音声が出力されることを防止することができる。
【図面の簡単な説明】
【００１９】
【図１】一実施形態の携帯電話の構成を示す図である。
【図２】携帯電話の使用状態を示す斜視図である。
【図３】筐体の裏側の外観を示す図である。
【図４】ＡＭラジオ放送受信時における携帯電話の動作手順を示す流れ図である。
【図５】表示部のメイン画面に含まれる２つの分割領域を示す図である。
【図６】一方の分割領域にＡＭラジオ放送の内容を表示する場合の具体例を示す図である。
【図７】ケース１に対応する好ましいバーアンテナの配置とメイン画面との関係を示す図である。
【図８】ケース１に対応する好ましいバーアンテナの配置とメイン画面との関係を示す図である。
【図９】ケース２に対応する好ましいバーアンテナの配置とサブ画面との関係を示す図である。
【図１０】ケース２に対応する好ましいバーアンテナの配置とサブ画面との関係を示す図である。
【図１１】ＡＭラジオ放送受信時における携帯電話の変形例の動作手順を示す流れ図である。
【符号の説明】
【００２０】
１０  電話処理部
１２  アンテナ
１４、２６  スピーカ
１６  マイクロホン
２０  ＡＭラジオチューナ部
２２  バーアンテナ
２４  音声出力部
３０  操作部
３２、３４  表示部
４０  制御部
５０、５２  筐体
【発明を実施するための最良の形態】
【００２１】
以下、本発明を適用した一実施形態のＡＭラジオ付き携帯電話について、図面を参照しながら詳細に説明する。図１は、一実施形態の携帯電話の構成を示す図である。図１に示すように、本実施形態の携帯電話１００は、電話処理部１０、アンテナ１２、スピーカ１４、マイクロホン１６、ＡＭラジオチューナ部２０、バーアンテナ２２、音声出力部２４、スピーカ２６、操作部３０、表示部３２、３４、制御部４０を含んで構成されている。本実施形態では、電話処理部１０、ＡＭラジオチューナ部２０、音声出力部２４、制御部４０の全体がＣＭＯＳプロセスを用いて半導体基板上に１チップ部品として形成されている。【００２２】
電話処理部１０は、移動体電話としての携帯電話１００を用いて他の携帯電話や固定電話等との間で通話を行うために必要な処理を行っており、アンテナ１２を介して付近の基地局（図示せず）との間で所定周波数の電波を送受信することによりこの処理が行われる。なお、図１では省略したが、携帯電話１００にはメールを送受信する機能やインターネットにアクセスする機能が備わっており、これらの機能を実現するために外部のサーバとの間で各種のデータを送受信する必要があるが、このデータの送受信も電話処理部１０によって行われる。【００２３】
ＡＭラジオチューナ部２０は、磁性芯にコイルが巻回されたバーアンテナ２２を用いてＡＭラジオ放送を受信して復調し、放送内容に対応する音声信号を出力する。音声出力部２４は、ＡＭラジオチューナ部２０から出力される音声信号を増幅してスピーカ２６から出力する音声出力手段である。なお、スピーカ２６の代わりに、あるいはスピーカ２６とともにイヤホンを使用してもよい。また、音声出力部２４は、ミュート信号が入力されると、出力音声を無音状態にするミュート処理を行う。【００２４】
操作部３０は、電話番号入力に必要な数字キー、「＊」キー、「＃」キーの外にＡＭラジオ放送受信時に必要な各種のキーを備える操作手段である。例えば、ＡＭラジオ放送受信時に選局を行うために必要な周波数のアップあるいはダウンを指示する選局キーや、出力音量を上げ下げする音量キーなどが備わっている。これらのキーは、専用のキーを割り当ててもいいが、テンキー等の一部で兼ねるようにしてもよい。【００２５】
一方の表示部３２は、大きな画面を有し、携帯電話１００の動作に必要な各種の情報を表示する。例えば、電話を掛ける際の相手電話番号、電話がかかってきたときの呼出中画像や発信者番号、内蔵電池の残量を示す画像、基地局から送信される電波の強度を示すアンテナマーク、ＡＭラジオ放送受信時の受信周波数や出力音声の音量などが表示される。本実施形態では、折り畳み式の筐体を有する携帯電話１００が用いられている。【００２６】
図２は、携帯電話１００の使用状態を示す斜視図である。一の面に操作部３０が設けられた筐体５０と、一の面に表示部３２が設けられた筐体５２のそれぞれが、長手方向の一方端を中心に開閉可能になっている。図２に示すように、２つの筐体５０、５２を開いた状態において、筐体５２に設けられた表示部３２の画面を見ながら筐体５０に設けられた操作部３０の数字キーが操作可能なようになっている。電話を掛ける際に表示内容が確認可能な表示部３２の画面を「メイン画面」（Ｄ１）と称して説明を行うものとする。【００２７】
他方の表示部３４は、２つの筐体５０、５２が折り畳まれた状態で目視可能な位置に配置されており、メイン画面に比べて小さな画面を有し、携帯電話１００の動作に必要な各種の情報を補助的に表示する。例えば、電話がかかってきたときの呼出中画像や、ＡＭラジオ放送受信時の受信周波数や出力音声の音量などが表示される。表示部３２の画面を「サブ画面」（Ｄ２）と称して説明を行うものとする。図３は、筐体５２の裏側の外観を示す図であり、ほぼ中央に表示部３４のサブ画面Ｄ２が設けられている。【００２８】
上述した２つの表示部３２、３４は、ともにアクティブマトリクス駆動のアクティブ素子にＴＦＴ（Thin Film Transistor）を用いたカラー液晶表示装置が用いられている。このカラー液晶表示装置は、応答速度が速く、発色が鮮やかであるという特徴を有するが、ＡＭラジオチューナ部２０に対してノイズ源となる。このため、本実施形態では、ＡＭラジオチューナ部２０を用いてＡＭラジオ放送を受信する際には、これらの表示部３２、３４の表示状態を変更する制御が行われる。【００２９】
制御部４０は、携帯電話１００の全体動作の制御を行う。例えば、ＡＭラジオ放送受信時には、操作部３０の選局キーが操作されたときにＡＭラジオチューナ部２０の受信周波数を変更したり、音量キーが操作されたときに音声出力部２４における利得を可変する制御が行われる。また、受信中のＡＭラジオ放送の受信周波数や出力音量を表示する制御動作が行われる。さらに、制御部４０は、ＡＭラジオ放送の受信開始時に表示部３２、３４の表示状態を変更する表示状態制御手段として動作する。【００３０】
本実施形態の携帯電話１００はこのような構成を有しており、次にその動作を説明する。図４は、ＡＭラジオ放送受信時における携帯電話１００の動作手順を示す流れ図であり、ＡＭラジオ放送受信と表示部３２等の表示状態制御に関する制御手順が示されている。電源が投入されて携帯電話１００が動作中に、制御部４０は、ＡＭラジオが起動されたか否かを判定する（ステップ１００）。利用者によって操作部３０が操作されてＡＭラジオの起動指示（受信開始指示）が行われたか否かが判定される。この起動指示は、操作部３０に備わったＡＭラジオ起動専用のキーを押下して行う場合の他に、階層化されたメニュー画面を見ながら操作部３０を操作してＡＭラジオの起動指示を行う場合が考えられる。利用者によって起動指示が行われない場合にはステップ１００の判定において否定判断が行われ、この判定が繰り返される。【００３１】
また、ＡＭラジオの起動指示が行われるとステップ１００の判定において肯定判断が行われ、次に、制御部４０は、表示部３２、３４の表示状態の変更を行った後（ステップ１０１）、受信対象となるＡＭラジオ放送の内容表示を行うとともに（ステップ１０２）、ＡＭラジオチューナ部２０に指示を送ってこのＡＭラジオ放送の受信動作を行う（ステップ１０３）。ステップ１０１における表示状態の変更動作の詳細については後述する。【００３２】
ＡＭラジオ放送の受信動作と並行して、制御部４０は、ＡＭラジオの停止が指示されたか否かを判定する（ステップ１０４）。この停止指示は利用者が操作部３０を操作することにより行うことが可能であり、利用者によって停止指示が行われない場合にはステップ１０４の判定において否定判断が行われ、ステップ１０２に戻って放送内容表示動作以降が繰り返される。【００３３】
また、ＡＭラジオの停止指示が行われるとステップ１０４の判定において肯定判断が行われ、次に、制御部４０は、ＡＭラジオチューナ部２０に指示を送ってＡＭラジオ放送の受信動作を終了させる（ステップ１０５）。その後、制御部４０は、表示部３２、３４の表示状態を元の状態に戻した後（ステップ１０６）、ステップ１００に戻ってＡＭラジオの起動判定を繰り返す。【００３４】
次に、ＡＭラジオ起動時に行われる表示部３２、３４の表示状態の変更動作の詳細について説明する。この表示状態の変更は、ＡＭラジオ受信時に表示部３２、３４によって発生するノイズを低減することを目的に行われるものであるが、表示部３２および表示部３４のいずれの表示状態を変更するか、どのように変更するかによって、いくつかのケースが考えられる。以下では、主な２つのケースについて説明する。【００３５】
（ケース１）メイン画面を複数に分割して、一の分割領域のみを用いてＡＭラジオ放送の内容表示を行い、他の分割領域における表示動作を停止させる場合である。図５は、表示部３２のメイン画面Ｄ１に含まれる２つの分割領域Ｄ１１、Ｄ１２を示す図である。例えば、長方形形状を有するメイン画面Ｄ１が長手方向に分割領域Ｄ１１、Ｄ１２によって２分割されている。図５に示すように、表示部３２には、メイン画面Ｄ１に各種の情報を表示するために長辺に沿って走査用の２つのドライバ３２１、３２２が、短辺に沿ってデータ用の１つのドライバ３２３が備わっている。操作用の一方のドライバ３２１は一方の分割領域Ｄ１１に対応しており、他方のドライバ３２２は他方の分割領域Ｄ１２に対応している。ＡＭラジオ放送受信時には、ドライバ３２１、３２３が用いられて一方の分割領域Ｄ１１のみを用いた表示が行われる。このとき、ドライバ３２２は休止状態にあり、他方の分割領域Ｄ１２には電圧が印加されない状態となる。なお、バックライトもこれらの各分割領域Ｄ１１、Ｄ１２に対応して分割されており、休止中の分割領域Ｄ１２に対応するバックライトを消灯する制御が行われる。【００３６】
図６は、一方の分割領域Ｄ１１にＡＭラジオ放送の内容を表示する場合の具体例を示す図である。一方の分割領域Ｄ１１には、その時点で受信中のＡＭラジオ放送の内容として受信周波数（○○○○ＫＨｚ）が表示される。受信周波数の表示に代えて放送局名を表示してもよい。また、このとき他方の分割領域Ｄ１２は非表示状態にある。【００３７】
表示部３４のサブ画面Ｄ２については、メイン画面Ｄ１と同様に２分割された一方の分割領域のみにＡＭラジオ放送の内容を表示し、他方の分割領域を非表示状態にする。但し、面積が大きいメイン画面Ｄ１が主にノイズ源になると考えられるため、メイン画面Ｄ１についてのみケース１に示した表示制御を行い、サブ画面Ｄ２については画面全体の表示状態を維持するようにしてもよい。あるいは、ＡＭラジオ使用時にはメイン画面Ｄ１のみを用いて各種の操作を行うものとして、サブ画面Ｄ２全体を非表示状態に制御してもよい。【００３８】
（ケース２）メイン画面Ｄ１の表示を停止させるとともに、ＡＭラジオ放送の内容をサブ画面Ｄ２のみに表示する場合である。この場合には、大きなノイズ源となるメイン画面Ｄ１が非動作状態になるため大幅にノイズを低減することが可能になる。また、サブ画面Ｄ２を見ながら受信周波数の切り替え等を行う必要があるため、図３に示すように、サブ画面Ｄ２が設置された面に、操作部３０の一部の操作キー３０１、３０２、３０３、３０４が配置されている。例えば、操作キー３０１、３０２を用いて受信周波数のアップとダウン操作が行われ、操作キー３０３、３０４を用いてＡＭラジオ放送の出力音声のアップとダウン操作が行われる。【００３９】
次に、表示部３２、３４とバーアンテナ２２の配置の関係について説明する。バーアンテナ２２は、ノイズ源となる表示部３２、３４から離れて配置することが望ましい。図７および図８は、ケース１に対応する好ましいバーアンテナ２２の配置とメイン画面との関係を示す図である。図７に示すように、表示状態となる一方の分割領域Ｄ１１が、一方向に長い立体形状の筐体５２において長手方向に沿った中央Ｃで区分された一方の空間Ｓ１２に含まれている場合には、他方の空間Ｓ１１にバーアンテナ２２が配置されている。具体的には、表示状態にある一方の分割領域Ｄ１１から最も離れた筐体５２の端部に沿ってバーアンテナ２２が配置されている。あるいは、図８に示すように、表示状態となる一方の分割領域Ｄ１２が筐体５２の中央Ｃにまたがっている場合であってこの分割領域Ｄ１２の半分以上が一方の空間Ｓ１１に配置されている場合には、他方の空間Ｓ１２にバーアンテナ２２が配置されている。この場合には、表示状態にある一方の分割領域Ｄ１２から最も離れた筐体５２の端部に沿ってバーアンテナ２２が配置されている。【００４０】
図９および図１０は、ケース２に対応する好ましいバーアンテナ２２の配置とサブ画面との関係を示す図である。図９に示すように、サブ画面Ｄ２が、一方向に長い立体形状の筐体５２において長手方向に沿った中央Ｃで区分された一方の空間Ｓ１２に含まれている場合には、他方の空間Ｓ１１にバーアンテナ２２が配置されている。具体的には、サブ画面Ｄ２から最も離れた筐体５２の端部に沿ってバーアンテナ２２が配置されている。あるいは、図１０に示すように、サブ画面Ｄ２が筐体５２の中央Ｃにまたがっている場合であってサブ画面Ｄ２の半分以上が一方の空間Ｓ１２に配置されている場合には、他方の空間Ｓ１１にバーアンテナ２２が配置されている。【００４１】
このように、本実施形態の携帯電話１００に備わったＡＭラジオチューナ部２０を用いてＡＭラジオ放送を受信する場合に表示部３２、３４の表示状態が変更されるため、表示部３２、３４がノイズ源となってＡＭラジオの出力音声に混入するノイズを低減することが可能になる。特に、最近の携帯電話１００には、表示の鮮明さや応答速度の向上等を考慮してＴＦＴタイプのアクティブマトリクス駆動のカラー液晶表示装置が使用されることが多いが、このカラー液晶表示装置は白黒表示を行うセグメント電極駆動の液晶表示装置に比べて、ＡＭラジオチューナ部２０に対して大きなノイズ源となることが知られている。このような表示部３２、３４を用いた場合であって表示状態を変更することにより、ＡＭラジオ使用時における出力音声に含まれるノイズを低減することが可能になる。また、最近では表示部３２、３４の大画面化が進んでいるため、表示部３２、３４の動作が原因となるノイズの発生が避けられないが、ＡＭラジオ使用時に表示部３２、３４の表示状態を変更することにより、このノイズを低減することが可能になる。【００４２】
具体例として、表示部３２（あるいは表示部３４）は、選択的に表示動作の停止が可能な複数の分割領域Ｄ１１、Ｄ１２を有しており、制御部４０は、ＡＭラジオ放送の受信開始指示が行われたときに（ＡＭラジオ起動時に）、一方の分割領域の表示動作を停止させている。これにより、ノイズ源となる表示部の面積を小さくすることができるため、ＡＭラジオ出力音声に含まれるノイズの量を低減することが可能になる。この場合には、表示動作が停止していない他方の分割領域に放送内容に関する情報が表示されるため、出力音声に含まれるノイズを低減するとともに、ＡＭラジオ使用時の操作性を向上させることができる。また、ＡＭラジオ用のバーアンテナ２２は、表示動作が行われる分割領域から離れた位置に配置されているため、ＡＭラジオ放送受信時にバーアンテナ２２を介して混入するノイズを低減することができる。【００４３】
あるいは、他の具体例として、メイン画面を有する表示部３２とサブ画面を有する表示部３４が離れた場所に設置されており、制御部４０は、ＡＭラジオ起動時に、一方の表示部３２の表示動作を停止させることで、ノイズ源となる表示部３２、３４全体の表示面積を小さくすることができるため、ＡＭラジオ出力音声に含まれるノイズの量を低減することが可能になる。特に、最も表示面積が大きい表示部３２の表示動作を停止させることにより、最も大きなノイズ源をなくすことができるため、効率よくノイズを低減することができる。【００４４】
ところで、上述した実施形態では、ＡＭラジオ使用時に表示部３２、３４の表示状態を表示面積が小さくなるように制御したが、ＡＭラジオ使用時には表示部３２、３４の両方が非表示状態になるように制御してもよい。【００４５】
図１１は、ＡＭラジオ放送受信時における携帯電話１００の変形例の動作手順を示す流れ図であり、ＡＭラジオ放送受信と表示部３２等の表示状態制御に関する制御手順が示されている。電源が投入されて携帯電話１００が動作中に、制御部４０は、ＡＭラジオが起動されたか否かを判定する（ステップ２００）。利用者によって起動指示が行われない場合には否定判断が行われ、この判定が繰り返される。また、ＡＭラジオの起動指示が行われるとステップ２００の判定において肯定判断が行われ、次に、制御部４０は、表示部３２、３４の表示を停止（非表示状態）した後（ステップ２０１）、ＡＭラジオチューナ部２０に指示を送ってこのＡＭラジオ放送の受信動作を行う（ステップ２０２）。【００４６】
このＡＭラジオ放送の受信動作と並行して、制御部４０は、ＡＭラジオの停止が指示されたか否かを判定する（ステップ２０３）。利用者によって停止指示が行われない場合には否定判断が行われ、次に、制御部４０は、選局指示が行われたか否かを判定する（ステップ２０４）。例えば、選局指示は、利用者が操作部３０を操作して任意方向に受信周波数をアップあるいはダウンしたり、操作部３０に備わった数字キーで直接受信周波数を指定することにより行われる。選局指示が行われない場合にはステップ２０４の判定において否定判断が行われ、ステップ２０２に戻ってＡＭラジオ放送の受信動作が繰り返される。【００４７】
また、選局指示が行われた場合にはステップ２０４の判定において肯定判断が行われ、次に、制御部４０は、それまで表示を停止していた表示部３２、３４の表示を一時的に再開して、受信対象となるＡＭラジオ放送の内容表示を行う（ステップ２０５）。なお、この内容表示動作は、２つの表示部３２、３４の全体（メイン画面とサブ画面の両方）を用いて行うようにしてもよいが、上述したケース１やケース２の表示制御を用いてノイズ低減を図ることが望ましい。【００４８】
その後、制御部４０は、選局動作が終了したか否かを判定する（ステップ２０６）。例えば、選局を行うために操作部３０が操作された後所定時間（例えば１秒間）操作部３０が操作されない状態が継続したときに選局動作が終了するものとする。選局動作が終了していない場合にはステップ２０６の判定において否定判断が行われ、ステップ２０５に戻ってＡＭラジオ放送の内容表示が継続される。また、選局動作が終了すると、制御部４０は、再び表示部３２、３４の表示を停止し（ステップ２０７）、その後ステップ２０２に戻ってＡＭラジオ放送の受信動作が繰り返される。【００４９】
また、利用者によってＡＭラジオの停止指示が行われた場合にはステップ２０３の判定において肯定判断が行われ、次に、制御部４０は、ＡＭラジオチューナ部２０に指示を送ってＡＭラジオ放送の受信動作を終了させるとともに（ステップ２０８）、表示部３２、３４による表示動作を再開した後（ステップ２０９）、ステップ２００に戻ってＡＭラジオの起動判定を繰り返す。【００５０】
このように、制御部４０は、ＡＭラジオが起動されたときに、表示部３２、３４の表示動作を停止させており、ノイズ源としての表示部３２、３４の影響をなくすことができるため、表示部３２、３４に起因するノイズの発生を完全になくすことができる。また、選局指示が行われたときに一時的に表示部３２、３４の表示動作の停止状態が解除されるため、選局時に必要最小限の表示のみを行うことで、操作性の向上とノイズ低減の効果を両立させることができる。特に、表示動作の停止状態の解除を、表示部３２、３４の全体の表示領域の中の一部を対象に行うことにより（ケース１、２の表示制御を併用した場合）、選局時に一時的に出力音声に含まれるノイズを低減することができる。【００５１】
なお、本発明は上記実施形態に限定されるものではなく、本発明の要旨の範囲内において種々の変形実施が可能である。例えば、上述した実施形態では、２つの表示部３２、３４を備える携帯電話１００について説明したが、３つ以上の表示部を備えるようにしてもよい。この場合におけるケース２に対応する表示制御は、例えば、最も小さい表示面積の表示部の表示状態を維持し、それ以外の複数の表示部の表示動作を停止させることが望ましい。これにより、多くの表示部を備える場合であってもノイズを最小限に抑えることができる。【００５２】
また、図１１を用いて説明した動作手順において、選局動作時に一時的に表示を再開したときに、制御部４０から音声出力部２４にミュート信号を入力してＡＭラジオの出力音声を強制的に無音状態にするミュート処理を行わせるようにしてもよい。これにより、選局時に一時的に表示動作が行われた際にノイズが混入して耳障りな音声が出力されることを防止することができる。実際に、選局時は周波数掃引動作等が行われてＡＭラジオ放送の内容が正しく出力されない場合が多いため、ミュート処理を行って無音状態にしても特に問題はないと考えられる。【００５３】
また、上述した実施形態では、携帯電話１００にＡＭラジオ機能を持たせた場合を考えたが、ノイズ源となる表示部を有する他の携帯機器に本発明を適用することができる。例えば、ＰＤＡにＡＭラジオ機能を付加する場合などに本発明を適用することができる。
【産業上の利用可能性】
【００５４】
本発明によれば、ＡＭラジオ放送を受信する場合に表示部の表示状態が変更されるため、表示部がノイズ源となって出力音声に混入するノイズを低減することが可能になる。
【図１】
2006051839.tif 000002
【図２】
2006051839.tif 000003
【図３】
2006051839.tif 000004
【図４】
2006051839.tif 000005
【図５】
2006051839.tif 000006
【図６】
2006051839.tif 000007
【図７】
2006051839.tif 000008
【図８】
2006051839.tif 000009
【図９】
2006051839.tif 000010
【図１０】
2006051839.tif 000011
【図１１】
2006051839.tif 000012
【国際調査報告】
2006051839.tif 000013
2006051839.tif 000014
2006051839.tif 000015
2006051839.tif 000016